(57)【要約】【課題】雨等に関する快適性と乗車姿勢に関する快適性とを高いレベルで両立させた鞍乗型車両を提供する。【解決手段】フロントカバー体３０の後側カバー３１は、フットボード２０の前方にて前方斜め上向きに延びる足載壁３５と、側面視で足載壁３５の上端から後方へ突出する突部４０とを有している。側面視において、前記突部４０の後端４０ｃは、後側カバー３１の上側の後端と下側の後端とを繋いだ線よりも前方に位置するとともに、後側カバー３１の上側の後端と下側の後端との上下方向の中間位置よりも上方に位置している。【選択図】図１
2010126055.tif 000002
【特許請求の範囲】
【請求項１】
前輪と、
前記前輪を支持するフロントフォークと、
前記フロントフォークを回転可能に支持するヘッドパイプと、前記ヘッドパイプから後方斜め下向きに延びるダウンフレームと、前記ダウンフレームの下部から後方に延びる下部フレームと、前記下部フレームの後部から後方斜め上向きに延びるシートレールと、を有する車体フレームと、
前記シートレールの上方に配置されたシートと、
少なくとも一部が前記シートの下方かつ前方であって前記下部フレームの上方に配置されたフットボードと、
前記ダウンフレームの上方および前記ヘッドパイプの後方を覆う後側カバーと、前記ダウンフレームの下方を覆い、前記前輪の上方に位置する下側カバーと、前記下側カバーの上方で前記ヘッドパイプの前方を覆う前側カバーとを有し、前記フットボードの前方に設けられたフロントカバー体と、を備え、
前記後側カバーは、前記フットボードの前方にて前方斜め上向きに延びる左側および右側の足載壁と、側面視で前記各足載壁の上端から後方へ突出する突部とを有し、
前記突部の後端は、前記後側カバーの当該突部を含む水平断面において最も車両幅方向の外方に位置し、
側面視において、前記突部の後端は、前記後側カバーの上側の後端と下側の後端とを繋いだ線よりも前方に位置するとともに、前記後側カバーの上側の後端と下側の後端との上下方向の中間位置よりも上方に位置している、鞍乗型車両。
【請求項２】
前記左側および右側の足載壁は、水平面に対する傾斜角度が互いに等しい、
請求項１に記載の鞍乗型車両。
【請求項３】
前記フロントカバー体の前記突部における車両幅方向の外方の表面に、斜め上方に凹んだ段差部が形成されている、
請求項１に記載の鞍乗型車両。
【請求項４】
前記後側カバーの前記突部の後端は、側面視において前記前輪の後端よりも後方に位置している、
請求項１に記載の鞍乗型車両。
【請求項５】
前記後側カバーの突部は、正面視において前記フロントカバー体のうち最も車両幅方向の外方に位置している、
請求項１に記載の鞍乗型車両。
【請求項６】
前記足載壁の上面に凹凸が形成されている、
請求項１に記載の鞍乗型車両。
【請求項７】
前記前輪は、リムと、前記リムに取り付けられたタイヤとを有し、
前記下側カバーの前端は、前記リムの前端よりも前方に位置している、
請求項１に記載の鞍乗型車両。
【請求項８】
前記下側カバーの前端は、前記前輪の上端と略等しい高さに位置している、
請求項１に記載の鞍乗型車両。
【発明の詳細な説明】
【技術分野】
【０００１】
本発明は鞍乗型車両に関する。
【背景技術】
【０００２】
スクータ型車両等の鞍乗型車両において、シートの下方に配置された略水平に延びるフットボードと、フットボードの前方に配置され、前方斜め上向きに延びるレッグシールドとを備えたものが知られている。
【０００３】
特許文献１には、前輪の上方を覆う泥除け部とレッグシールドとを有するフロントカバー体を備え、レッグシールドの裏側に、ライダーの足が載せられる足載部が設けられたスクータ型車両が開示されている。特許文献２には、レッグシールドを有するフロントカバー体と、フロントカバー体と別体で前輪と共に動く可動型のフロントフェンダーとを備え、レッグシールドの裏側に足載部が設けられたスクータ型車両が開示されている。
【特許文献１】台湾特許公開公報第２００６２６３８６号
【特許文献２】特開２００４−１１６３７５号公報
【発明の開示】
【発明が解決しようとする課題】
【０００４】
図１９（ａ）に模式的に示すように、特許文献１に開示されたようなスクータ型車両では、フロントカバー体１５１と別体のフロントフェンダーを設ける必要がないので、レッグシールド１５２をより前方に配置することができる。また、足載部１５３の水平面からの傾斜角度θを比較的小さく抑えることができ、足載部１５３の傾斜を穏やかにすることができる。このような構成により、シート１５５に着座した乗員１６０は、膝の屈曲角度および足の屈曲角度を大きく確保することができ、脚を比較的伸ばした状態で乗車することができる。したがって、乗車時の快適性を高めることができる。しかし、前輪１５４から巻き上げられる水や泥、またはフロントカバー体１５１の前部に当たった水や泥などが、走行風によってレッグシールド１５２の裏側へ回り込み、乗員１６０の脚に当たる可能性が高いという課題がある。そのため、雨や泥がかかりにくいという点での快適性（以下、雨等に関する快適性という）が、十分に高いとは言い難い。
【０００５】
一方、図１９（ｂ）に模式的に示すように、特許文献２に開示されたようなスクータ型車両では、可動型のフロントフェンダー２０５が設けられ、また、フロントフェンダー２０５の設置スペースの分だけレッグシールド２０２がより後方に配置されている。そのため、水や泥などがレッグシールド２０２の裏側に回り込みにくく、雨等に関する快適性が十分に高い。しかし、レッグシールド２０２がより後方に位置しているため、足載部２０３の水平面からの傾斜角度θを大きくしなければならず、足載部２０３の傾斜が急になってしまう。そのため、シート２１０に着座した乗員２６０の膝の屈曲角度が小さくなるとともに、足の屈曲角度も小さくなってしまう。したがって、楽な乗車姿勢をとることができるという点での快適性（以下、乗車姿勢に関する快適性という）が、十分に高いとは言い難い。
【０００６】
本発明は、かかる点に鑑みてなされたものであり、その目的とするところは、雨等に関する快適性と乗車姿勢に関する快適性とを高いレベルで両立させた鞍乗型車両を提供することにある。
【課題を解決するための手段】
【０００７】
本発明に係る鞍乗型車両は、前輪と、前記前輪を支持するフロントフォークと、前記フロントフォークを回転可能に支持するヘッドパイプと、前記ヘッドパイプから後方斜め下向きに延びるダウンフレームと、前記ダウンフレームの下部から後方に延びる下部フレームと、前記下部フレームの後部から後方斜め上向きに延びるシートレールと、を有する車体フレームと、前記シートレールの上方に配置されたシートと、少なくとも一部が前記シートの下方かつ前方であって前記下部フレームの上方に配置されたフットボードと、前記ダウンフレームの上方および前記ヘッドパイプの後方を覆う後側カバーと、前記ダウンフレームの下方を覆い、前記前輪の上方に位置する下側カバーと、前記下側カバーの上方で前記ヘッドパイプの前方を覆う前側カバーとを有し、前記フットボードの前方に設けられたフロントカバー体と、を備え、前記後側カバーは、前記フットボードの前方にて前方斜め上向きに延びる左側および右側の足載壁と、側面視で前記各足載壁の上端から後方へ突出する突部とを有し、前記突部の後端は、前記後側カバーの当該突部を含む水平断面において最も車両幅方向の外方に位置し、側面視において、前記突部の後端は、前記後側カバーの上側の後端と下側の後端とを繋いだ線よりも前方に位置するとともに、前記後側カバーの上側の後端と下側の後端との上下方向の中間位置よりも上方に位置しているものである。
【発明の効果】
【０００８】
本発明によれば、雨等に関する快適性と乗車姿勢に関する快適性とを高いレベルで両立させた鞍乗型車両を実現することが可能となる。
【発明を実施するための最良の形態】
【０００９】
＜実施形態の構成＞
図１に示すように、本実施形態に係る自動二輪車は、スクータ型車両１である。ただし、本発明に係る自動二輪車は、スクータ型車両１に限定されず、他の自動二輪車であってもよい。以下の説明では、前、後、左、右の方向は、スクータ型車両１に乗車する乗員１００（図１６参照）から見た前、後、左、右の方向をそれぞれ意味するものとする。図１における符号Ｆｒは前方を表す。
【００１０】
スクータ型車両１は、車体フレーム２を備えている。車体フレーム２は、ヘッドパイプ２ａと、ヘッドパイプ２ａから後方斜め下向きに延びるダウンフレーム２ｂと、ダウンフレーム２ｂの下部から後方に延びる下部フレーム２ｃと、下部フレーム２ｃの後部から後方斜め上向きに延びるシートレール２ｄとを備えている。
【００１１】
下部フレーム２ｃには、下方に突出するブラケット１４が設けられている。このブラケット１４には、ピボット軸１５を介してエンジンユニット５が取り付けられている。このように、エンジンユニット５の前端部は、ピボット軸１５を中心として上下揺動可能となるように車体フレーム２に支持されている。すなわち、エンジンユニット５は、いわゆるユニットスイング式のエンジンユニットである。シートレール２ｄの後端部には、上側リアクッションブラケット１２が設けられている。この上側リアクッションブラケット１２とエンジンユニット５の後端部との間には、左右一対のリアクッションユニット９が配置されている（図４参照）。すなわち、エンジンユニット５の後端部は、リアクッションユニット９を介して車体フレーム２に支持されている。
【００１２】
エンジンユニット５は、エンジン本体５１と、エンジン本体５１の車両幅方向の一側部分から後方に延びる変速機ユニット５２とを有している。図示は省略するが、エンジン本体５１は、クランクケースと、このクランクケースから突出するシリンダと、このシリンダ内に配置されたピストンと、クランクケース内に配置され、コンロッドを介して上記ピストンに連結されたクランクシャフトとを備えている。変速機ユニット５２は、変速機ケースを兼ねるリアアーム５２ａと、リアアーム５２ａ内に配置され、上記クランクシャフトから駆動力が伝達される変速機本体と変速機本体に連結される遠心クラッチとを備えている。なお、変速機本体の種類は特に限定されず、Ｖベルト式無段変速機、歯車式の変速機等を好適に用いることができる。変速機本体は後輪５３の車軸に連結されている。このような構成により、エンジン本体５１の駆動力は、変速機ユニット５２を介して後輪５３に伝達される。後輪５３は、エンジンユニット５と一体となって揺動する。エンジンユニット５および後輪５３は、車体フレーム２に対して揺動可能な揺動体を構成している。なお、符号５６はエアクリーナを表し、符号１３（図２参照）はマフラーを表している。
【００１３】
ヘッドパイプ２ａには、フロントフォーク３が回転自在に支持されている。フロントフォーク３は、前方斜め下向きに延びている。フロントフォーク３の下端部には、前輪６が回転自在に支持されている。フロントフォーク３の上端部には、ハンドル１６が取り付けられている。
【００１４】
スクータ型車両１は、シートレール２ｄの上方に配置されたシート４を備えている。シート４の前側部分の裏側には、ヒンジピン４ａが設けられている。シート４は、このヒンジピン４ａを中心に上下に回転可能である。
【００１５】
シート４の下方には、収納箱１８およびバッテリボックス１１が配置されている。バッテリボックス１１は収納箱１８の後方に配置されており、バッテリボックス１１の内部にはバッテリ１１ａが収納されている。ヒンジピン４ａを中心にシート４を回転させて倒立させると、収納箱１８およびバッテリボックス１１が外部に露出する。そのため、シート４を倒立させることにより、収納箱１８に対する荷物の出し入れやバッテリ１１ａの交換等を容易に行うことができる。
【００１６】
スクータ型車両１は、シート４の前方かつ下方に設けられた低床なフットボード２０を備えている。フットボード２０は、略水平に延びる足載面２０ａを有している。なお、足載面２０ａは、厳密には水平面から前方斜め下向きに若干傾いているが、このように僅かな傾きがあっても実質的には水平と見なすことができる。
【００１７】
スクータ型車両１は、フットボード２０の前方に配置されたフロントカバー体３０を備えている。また、スクータ型車両１は、フロントカバー体３０の上方に配置され、ハンドル１６を覆う上側フロントカバー１７を備えている。フロントカバー体３０は、ダウンフレーム２ｂの上方およびヘッドパイプ２ａの後方を覆う後側カバー３１と、ダウンフレーム２ｂの下方（詳細には、ダウンフレーム２ｂよりも下）を覆い、前輪６の上方に位置する下側カバー３２と、下側カバー３２の上方でヘッドパイプ２ａの前方を覆う前側カバー３３とを備えている。なお、これら後側カバー３１、下側カバー３２、および前側カバー３３は、フロントカバー体３０の位置に基づいて概念的に分類したものであり、必ずしもそれらが別個に形成されていることを意味する訳ではない。すなわち、後側カバー３１、下側カバー３２、および前側カバー３３は、それぞれ別体であってもよいが、それらの２つ以上が一体物となっていてもよい。また、それらは、各々複数の部材からなっていてもよい。また、それら複数の部材のいずれか一つまたは二つ以上が他のものの一部または全部と一体化されていてもよい。本実施形態では、下側カバー３２の前側部分と後側部分とが別体に形成され、下側カバー３２の前側部分は前側カバー３３と一体化されている。
【００１８】
後側カバー３１および下側カバー３２は、フットボード２０の前部から前方斜め上向きに延び、ダウンフレーム２ｂの下部を囲う後部３２ｂと、後部３２ｂの上部から前方（なお、ここで言う前方には、厳密に水平方向に沿った方向だけでなく、水平方向から斜め下向きに延びる前方も含まれる。）へ延び、前輪６の上方を覆う前部３２ａとを有している。これら前部３２ａおよび後部３２ｂは、前輪６から跳ね上げられる水や泥等が乗員の脚に吹きかかることを防ぐ泥除け体３２ｃを形成している。
【００１９】
図１に示すように、前輪６は、リム６ａと、リム６ａに取り付けられたタイヤ６ｂとを有している。泥除け体３２ｃの前部３２ａの前端３２ｄは、リム６ａの前端６ｃよりも前方に位置している。また、泥除け体３２ｃの前部３２ａの前端３２ｄは、前輪６の上端６ｄと略等しい高さに位置している。
【００２０】
泥除け体３２ｃの後部３２ｂは、フットボード２０の前部から略垂直に立ち上がる左側および右側の縦壁３４と、縦壁３４の上部から前方斜め上向きに延びる足載壁３５と、側面から見て各足載壁３５の前方斜め下に位置しかつ前方斜め上向きに延びる下縁３６とを有している。なお、縦壁３４は必ずしも必要ではなく、適宜省略することも可能である。すなわち、フットボード２０と足載壁３５とは連続していてもよい。図６に示すように、側面から見て、足載壁３５の水平方向からの傾斜角θ１は、下縁３６の水平方向からの傾斜角θ２よりも小さくなっている。すなわち、下縁３６よりも足載壁３５の方が、傾斜が緩やかになっている。
【００２１】
なお、左右の足載壁３５は、水平面に対する傾斜角度が互いに等しくなっている。すなわち、左側の足載壁３５の傾斜角θ１と右側の足載壁３５の傾斜角θ１とは互いに等しく、左右の足載壁３５は同一の仮想面上に位置している。ただし、足載壁３５の具体的形状は特に限定されない。足載壁３５は、本実施形態のように略平面状に形成されたものに限らず、例えば湾曲面状に形成されていてもよい。図６に示すように、側面から見て、足載壁３５の延長線Ｌ１とフロントフォーク３の長手方向に延びる線Ｌ２とは、略直交している。図７に示すように、足載壁３５の上面には、凹み３５ａが形成されている。言い換えると、足載壁３５の上面には凹凸が形成されている。
【００２２】
図６に示すように、シート４は、側面から見て前方に突出する突出端４ｂを有している。側面から見て、シート４の突出端４ｂと足載壁３５の下端３５ｂとを結んだ直線Ｌ３と足載壁３５（言い換えると直線Ｌ１）とのなす角θ３は、９０度以上となっている。図６に示すように、縦壁３４の上下方向長さＭ１は、足載壁３５の上下方向長さＭ２よりも短くなっている。
【００２３】
図１に示すように、後側カバー３１は、上記足載壁３５と、側面視で足載壁３５の上端から後方へ突出した突部４０とを有している。なお、ここで突部４０とは、図８に示すように側面視において、後側カバー３１の輪郭を形成する前方斜め下向きの線を延長した仮想線Ｌ４と、前方斜め上向きの線を延長した仮想線Ｌ５とよりも後方に突出している部分を有する部分であり、突部４０の後端４０ｃは、上端４０ａと下端４０ｂとを結んだ線Ｌ６よりも後方に位置する。図８における点Ｐ１は、線Ｌ４と線Ｌ５との交点を示している。なお、突部４０の後端４０ｃは、必ずしも点状になっていなくてもよい。言い換えると、突部４０の後側部分は、必ずしも鋭角に形成されていなくてもよい。例えば図１７（ａ）に示すように、突部４０の後端４０ｃは、上下方向に幅を有していてもよい。すなわち、突部４０の後端４０ｃは、線状になっていてもよい。また、突部４０の後側部分は、側面視において直線状に形成されていてもよいし、図１７（ｂ）に示すように曲線状に形成されていてもよい。
【００２４】
図１８は、フロントカバー体３０の突部４０の後端４０ｃを含んだ水平断面の図である。図１８に示すように、突部４０の後端４０ｃは、後側カバー３１のうち最も車両幅方向（図１８の上下方向）の外方に位置している。
【００２５】
図３に示すように、正面視において、突部４０の後端４０ｃは、フロントカバー体３０のうち最も車両幅方向の外方に位置する部分となっている。突部４０の後端４０ｃは、後側カバー３１の上側の後端３１ａよりも車両幅方向の外方に位置している。なお、図３において、直線Ｌ８は後側カバー３１の後端３１ａを通る垂直線を表している。突部４０の後端４０ｃは、この直線Ｌ８よりも外方に位置している。また、図９に示すように、側面視において、突部４０の後端４０ｃは、後側カバー３１の上側の後端３１ａと下側の後端３１ｂとを繋いだ線Ｌ７よりも前方に位置する。また、突部４０の後端４０ｃは、後側カバー３１の上側の後端３１ａと下側の後端３１ｂとの上下方向の中間位置３１ｃよりも上方に位置している。突部４０の後端４０ｃは、前輪６の後端６ｅよりも後方に位置している。
【００２６】
図１に示すように、突部４０の車両幅方向の外方の表面には、段差部４１が形成されている。図１０に示すように、段差部４１は斜め上方に凹んでいる。なお、段差部４１の個数は特に限定されない。
【００２７】
図１および図４に示すように、スクータ型車両１は、シート４とエンジンユニット５との間の空間７０（図１１参照）の車両幅方向の左側および右側を区画する左側および右側のサイドカバー７を備えている。図１１に示すように、サイドカバー７は、車両幅方向に切った断面で見たときに、車両幅方向（図１１の左右方向）に突出する突出部７１を有している。図１に示すように、サイドカバー７の突出部７１が車両前後方向に連なって形成される線は、車両の側面から見て後ろ上がりに傾斜している。なお、突出部７１が連なって形成される線は、必ずしも明瞭な線でなくても構わない。本実施形態のように、突出部７１が車両幅方向の外方に向かって尖っている場合には、明瞭な線が表れる。しかし、突出部７１が尖っていない場合、例えば緩やかに湾曲しているような場合等では、明瞭な線は表れない。このような場合であっても、最も車両幅方向の外方に位置する部分を車両前後方向につないだ線を想起することができ、このような線も、突出部７１が前後方向に連なって形成される線と見なすことができる。また、突出部７１が車両前後方向に連なって形成される線は、上下方向にある程度の幅を持っていてもよい。
【００２８】
図１に示すように、収納箱１８の下部１８ａは、サイドカバー７の下縁７３から下方にはみ出している。また、バッテリボックス１１の一部もサイドカバー７の下縁７３から下方にはみ出している。なお、収納箱１８やバッテリボックス１１はスクータ型車両１の部品の一例であり、他の部品の一部または全部がサイドカバー７の下縁７３から下方にはみ出していてもよい。他の部品としては、例えば、リアクッションユニット９、燃料タンク等も考えられる。また、車体フレーム２の一部がサイドカバー７の下縁７３から下方にはみ出していてもよい。このように、サイドカバー７の下縁７３から下方にはみ出す部品または部分は特に限定されず、例えば、車体フレームや上側リアクッションブラケット１２等であってもよい。
【００２９】
図４に示すように、左側のサイドカバー７の後端部と右側のサイドカバー７の後端部との間には、テールライト１０が配置されている。テールライト１０の下方には、反射板８７が設けられている。
【００３０】
スクータ型車両１は、ライセンスプレート８０を支持するライセンスプレートブラケット８を備えている。ライセンスプレートブラケット８は、テールライト１０よりも下方に位置するように車体フレーム２に支持されている。ライセンスプレートブラケット８は、車体フレーム２に直接接合されていてもよく、直接取り付けられていてもよい。また、ブラケット等の取付部材を介して間接的に取り付けられていてもよい。ライセンスプレートブラケット８は、テールライト１０の下方に配置された後部８２と、後部８２の左側および右側から前方に延びる左側および右側の側部８１とを備えている。後部８２と両側部８１とは一体化されており、後部８２は両側部８１を連結している。図５に示すように、平面視において、左側および右側の側部８１は、後部８２から前方に向かって末広がり状に延びている。なお、図１２に示すように、ライセンスプレート８０は後部８２に取り付けられる。
【００３１】
図１に示すように、側部８１は、サイドカバー７の下縁７３に沿って延びている。側部８１は、サイドカバー７の下縁７３から下方にはみ出した収納箱１８の一部、すなわち収納箱１８の下部１８ａの後側部分を覆っている。また、側部８１は、サイドカバー７の下縁７３から下方にはみ出したバッテリボックス１１の一部も覆っている。なお、側部８１が覆うものは、スクータ型車両１の部品に限らず、車体フレーム２の一部であってもよい。
【００３２】
図１２に示すように、側面視において、リアクッションユニット９の上側リアクッションブラケット１２の支持部分９ａは、ライセンスプレートブラケット８の側部８１よりも下方に位置している。したがって、上記支持部分９ａは側方に露出している。なお、リアクッションユニット９の支持部分９ａは、後述するリアフェンダー５４よりも上方に位置している。
【００３３】
図１２に示すように、ライセンスプレートブラケット８は、車両上下方向の長さｈ１が車両前後方向の長さｈ２よりも短くなっている。また、ライセンスプレートブラケット８は、車両上下方向の長さｈ１が車両幅方向の長さｈ３（図５参照）よりも短くなっている。図１２に示すように、このライセンスプレートブラケット８は、ライセンスプレート８０が取り付けられたときにライセンスプレートブラケット８の後部８２の下端８２ａがライセンスプレート８０の下端８０ａよりも上方に位置するように形成されている。なお、ライセンスプレートブラケット８の下端８２ａは、ライセンスプレートブラケット８の後端ともなっている。このライセンスプレートブラケット８の後端８２ａは、テールライト１０の後端１０ａよりも前方に位置している。
【００３４】
ライセンスプレートブラケット８の側部８１には、リアフラッシャー８４が取り付けられている。すなわち、左側および右側のリアフラッシャー８４は、左側および右側のライセンスプレートブラケット８にそれぞれ支持されている。リアフラッシャー８４は、ライセンスプレートブラケット８の側部８１から車両幅方向の外方に突出している。図５に示すように平面視において、リアフラッシャー８４は、少なくともその一部がサイドカバー７の突出部７１によって隠されるように、突出部７１と重なった位置に配置されている。
【００３５】
また、図１２に示すように側面視において、リアフラッシャー８４は、車体の後側の輪郭線よりも前方に配置されている。言い換えると、リアフラッシャー８４は、テールライト１０とライセンスプレートブラケット８とで形成される後側の輪郭線よりも前方に配置されている。詳細には、リアフラッシャー８４の後端８４ａは、上記輪郭線よりも前方に位置している。なお、本実施形態ではライセンスプレートブラケット８は、ライセンスプレート８０を照らすライト（図示せず）を支持する照明部８３を備えている。照明部８３は後部８２に一体的に形成され、後部８２の上部から後方に突出している。ただし、照明部８３は必ずしも必要ではなく、例えば、テールライト１０の光を利用してライセンスプレート８０を照らすことも可能である。そこで、図１３に示すように、テールライト１０と、ライセンスプレートブラケット８のうち照明部８３を無視した部分とで、車体の後側の輪郭線ＢＬ（図１３における太線）が形成されていると見なすことができる。リアフラッシャー８４の後端８４ａは、側面視において上記輪郭線ＢＬよりも前方に位置している。
【００３６】
図１３に示すように側面視において、テールライト１０とライセンスプレートブラケット８の後部８２とは、所定の谷間位置８５から後方斜め上向きおよび後方斜め下向きに延びる略横Ｖ字型を形成している。リアフラッシャー８４の車両前後方向の中間位置８４ｍは、谷間位置８５よりも前方に位置している。図５に示すように平面視において、リアフラッシャー８４は、サイドカバー７のうち最も車両幅方向の外方に位置する外端７２よりも車両幅方向の内方に位置している。言い換えると、フラッシャー８４の外端８４ｂは、サイドカバー７の外端７２を通る車両前後方向に延びる線Ｌ９よりも、車両幅方向の内方に位置している。
【００３７】
図１２に示すように、ライセンスプレートブラケット８の側部８１は、テールライト１０よりも前方に位置している。リアフラッシャー８４は、テールライト１０よりも前方に位置するように側部８１に取り付けられている。より詳細には、リアフラッシャー８４の後端８４ａは、テールライト１０の後端１０ａよりも前方に位置している。図１４に示すように、ライセンスプレートブラケット８の側部８１には、車両幅方向に切った断面で見たときに車両幅方向の内方に凹んだ凹部８１ａが形成されている。リアフラッシャー８４は、この凹部８１ａに取り付けられている。リアフラッシャー８４は、ライセンスプレートブラケット８の側部８１から側方に突出する特別な支持部を介することなく、側部８１に直接取り付けられている。
【００３８】
ただし、ライセンスプレートブラケット８の側部８１の形状は特に限定される訳ではない。図１５に示すように、ライセンスプレートブラケット８に側部８１から側方に突出する支持部８６を設け、この支持部８６にリアフラッシャー８４を支持するようにしてもよい。なお、このような場合であっても、リアフラッシャー８４は、平面視においてその一部がサイドカバー７の突出部７１によって隠されるように、突出部７１と重なった位置に配置される。
【００３９】
図１に示すように、後輪５３の上方には、リアフェンダー５４が設けられている。リアフェンダー５４は、前後方向に関して後輪５３の中心５３ｃよりも前方の位置から、後輪５３の後端の位置Ｔよりも後方に延びている。具体的には、リアフェンダー５４は、エンジンユニット５のクランクケース（図示せず）の後方近傍の位置から後方に延び、後輪５の後端位置Ｔよりも後方に延びている。リアフェンダー５４は、後輪５３の形状に沿った形状に形成されている。すなわち、リアフェンダー５４は、側面から見て略円弧状に形成されている。
【００４０】
図４に示すように、リアフェンダー５４は、後輪５３の上方および左右両方向の一部を覆うフェンダー本体５４ａと、フェンダー本体５４ａから左方および右方に突出した側片部５４ｂと、フェンダー本体５４ａの下側から後方斜め下向きに突出した下片部５４ｃとを備えている。図１に示すように、リアフェンダー５４の後部の下端、すなわち下片部５４ｃの下端５４ｄは、ライセンスプレートブラケット８の後部８２の下端８２ａよりも下方に位置している。なお、リアフェンダー５４の後部とは、リアフェンダー５４の前後方向中間位置よりも後側の部分をいう。側片部５４ｂおよび下片部５４ｃも、ライセンスプレートブラケット８の下端８２ａよりも下方に位置している。リアフェンダー５４の上端は、ライセンスプレートブラケット８の上端と略等しい高さに位置している。
【００４１】
＜実施形態の効果＞
以上のように、本実施形態に係るスクータ型車両１では、フロントカバー体３０の後側カバー３１が、フットボード２０の前方にて前方斜め上向きに延びる左右の足載壁３５と、側面視で足載壁３５の上端から後方へ突出した突部４０とを有している。図９に示すように側面視において、突部４０の後端４０ｃは、後側カバー３１の上側の後端３１ａと下側の後端３１ｂとを繋いだ線Ｌ７よりも前方に位置している。また、突部４０の後端４０ｃは、後側カバー３１の上側の後端３１ａと下側の後端３１ｂとの上下方向の中間位置３１ｃよりも上方に位置している。
【００４２】
本実施形態によれば、フロントカバー体３０の下側カバー３２で前輪６の上方を覆っているので、フロントカバー体３０と別体のフロントフェンダーを別途設ける必要がなく、フロントカバー体３０をより前方に配置することができる。したがって、図１６に示すように、乗員１００は膝の屈曲角度αおよび足の屈曲角度βを大きく確保することができる。なお、図１６において、符号１０１、１０２、１０３、１０４、１０５は、それぞれ乗員１００の脚、膝、上腿部、下腿部、足部を表している。このように、乗員１００は脚１０１の全体を比較的伸ばした姿勢で乗車することができるので、乗車姿勢に関する快適性を向上させることができる。一方、後側カバー３１には上記突部４０が設けられているので、走行風によって雨や泥等が後側カバー３１の裏側に回り込むことを抑制することができる。そのため、雨等に関する快適性を高めることができる。さらに、突部４０を設けてはいるが、図９に示すように、突部４０は後側カバー３１の上側の後端３１ａと下側の後端３１ｂとを繋いだ線Ｌ７よりも前方に位置するので、乗員１００が足載壁３５に足１０５を置いたときに上記突部４０により乗車姿勢に関する快適性が低下することを抑制できる（図１６参照）。したがって、本実施形態によれば、雨等に関する快適性と乗車姿勢に関する快適性とを高い次元で両立させることができる。
【００４３】
また、本実施形態によれば、左側の足載壁３５と右側の足載壁３５とは、水平面に対する傾斜角度が互いに等しい。すなわち、両足載壁３５は同一の仮想面上に位置している。そのため、左右の足を足載壁３５に載せた際に、両膝の開き具合を適度に保つことが容易になる。すなわち、両膝が外側へ開きすぎることや内側へ閉じすぎるようなことがなく、より自然な姿勢で乗車することができる。したがって、乗車時の快適性をさらに向上させることができる。
【００４４】
また、本実施形態によれば、フロントカバー体３０の突部４０における車両幅方向の外方の表面に、斜め上方に凹んだ段差部４１が形成されている。これにより、走行風を受けて後側カバー３２の表面に沿って裏側に回り込もうとする雨等の水滴の流れを、上記段差部４１で効果的に阻止することができる。したがって、雨等が乗員１００の脚１０１に吹きかかることがさらに抑制されるので、雨等に関する快適性をより一層向上させることができる。
【００４５】
図９に示すように、後側カバー３２の突部４０の後端４０ｃは、側面視において前輪６の後端６ｅよりも後方に位置している。このように、突部４０が比較的後方にまで延びているので、雨等がフロントカバー体３０の裏側に回りこむことをより効果的に抑制することができる。したがって、雨等に関する快適性をさらに向上させることができる。
【００４６】
図３に示すように、突部４０は、フロントカバー体３０のうち最も車両幅方向の外方に位置する部分となっている。したがって、雨等に関する快適性をより向上させることができる。
【００４７】
図７に示すように、足載壁３５の上面には、凹み３５ａが形成されている。したがって、足載壁３５の上面が滑りにくくなり、乗員１００は足載壁３５の上に足１０５をしっかりと保持することが容易となる。そのため、乗車時の快適性を向上させることができる。
【００４８】
図１に示すように、下側カバー３２の前端３２ｄは、前輪６のリム６ａの前端６ｃよりも前方に位置している。このように、下側カバー３２は、より前方に配置されている。したがって、フロントカバー体３０と別体のフロントフェンダーを別途設けなくても、下側カバー３２の泥除け性能が高いので、雨等に関する快適性を向上させることができる。
【００４９】
また、下側カバー３２の前端３２ｄは、前輪６の上端６ｄと略等しい高さに位置している。このように、下側カバー３２は、より下方にまで延びている。したがって、フロントカバー体３０と別体のフロントフェンダーを設けなくても、十分な泥除け性能を発揮することができる。よって、雨等に関する快適性を向上させることができる。
【産業上の利用可能性】
【００５０】
本発明は、スクータ型車両等の鞍乗型車両について有用である。
【図面の簡単な説明】
【００５１】
【図１】スクータ型車両の左側面図である。
【図２】スクータ型車両の右側面図である。
【図３】スクータ型車両の正面図である。
【図４】スクータ型車両の背面図である。
【図５】スクータ型車両の平面図である。
【図６】スクータ型車両の右側面図である。
【図７】足載壁の斜視図である。
【図８】後側カバーの突部の側面図である。
【図９】スクータ型車両の右側面図である。
【図１０】図９のＸ−Ｘ線断面図である。
【図１１】図１のＸＩ−ＸＩ線断面図である。
【図１２】ライセンスプレートブラケットの左側面図である。
【図１３】ライセンスプレートブラケットの左側面図である。
【図１４】図１３のＸＩＶ−ＸＩＶ線断面図である。
【図１５】変形例に係るスクータ型車両の背面図である。
【図１６】スクータ型車両の左側面図である。
【図１７】（ａ）および（ｂ）は、変形例に係る図８相当図である。
【図１８】後側カバーの水平断面図である。
【図１９】（ａ）および（ｂ）は、従来のスクータ型車両の部分側面図である。
【符号の説明】
【００５２】
１      スクータ型車両（自動二輪車）
２      車体フレーム
２ａ    ヘッドパイプ
２ｂ    ダウンフレーム
２ｃ    下部フレーム
２ｄ    シートレール
３      フロントフォーク
４      シート
５      エンジンユニット
６      前輪
２０    フットボード
３０    フロントカバー体
３１    後側カバー
３２    下側カバー
３３    前側カバー
３４    縦壁
３５    足載壁
４０    突部
【図１】
2010126055.tif 000003
【図２】
2010126055.tif 000004
【図３】
2010126055.tif 000005
【図４】
2010126055.tif 000006
【図５】
2010126055.tif 000007
【図６】
2010126055.tif 000008
【図７】
2010126055.tif 000009
【図８】
2010126055.tif 000010
【図９】
2010126055.tif 000011
【図１０】
2010126055.tif 000012
【図１１】
2010126055.tif 000013
【図１２】
2010126055.tif 000014
【図１３】
2010126055.tif 000015
【図１４】
2010126055.tif 000016
【図１５】
2010126055.tif 000017
【図１６】
2010126055.tif 000018
【図１７】
2010126055.tif 000019
【図１８】
2010126055.tif 000020
【図１９】
2010126055.tif 000021
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
前輪と、
前記前輪を支持するフロントフォークと、
前記フロントフォークを回転可能に支持するヘッドパイプと、前記ヘッドパイプから後方斜め下向きに延びるダウンフレームと、前記ダウンフレームの下部から後方に延びる下部フレームと、前記下部フレームの後部から後方斜め上向きに延びるシートレールと、を有する車体フレームと、
前記シートレールの上方に配置されたシートと、
少なくとも一部が前記シートの下方かつ前方であって前記下部フレームの上方に配置されたフットボードと、
前記ダウンフレームの上方および前記ヘッドパイプの後方を覆う後側カバーと、前記ダウンフレームの下方を覆い、前記前輪との間に別体のフロントフェンダーを介することなく前記前輪の上方に位置する下側カバーと、前記下側カバーの上方で前記ヘッドパイプの前方を覆う前側カバーとを有し、前記フットボードの前方に設けられたフロントカバー体と、を備え、
前記後側カバーは、前記フットボードの前方にて前方斜め上向きに延びる左側および右側の足載壁と、前記後側カバーの側縁部分に位置しかつ側面視で前記各足載壁の上端から後方へ突出する突部と、前記突部よりも上方かつ後方に位置するとともに、前記後側カバーの側縁部分の上側の後端に位置する上側後端と、前記突部よりも下方かつ後方に位置するとともに、前記後側カバーの側縁部分の下側の後端に位置する下側後端とを有し、
前記突部の後端は、前記後側カバーの当該突部を含む水平断面において最も車両幅方向の外方に位置し、
側面視において、前記突部の後端は、前記後側カバーの前記上側後端と前記下側後端とを繋いだ線よりも前方に位置するとともに、前記後側カバーの前記上側後端と前記下側後端との上下方向の中間位置よりも上方に位置し、
前記突部の一部は、側面視において、前記後側カバーの側縁部分の輪郭を形成する前方斜め下向きの線を延長した仮想線と、前記輪郭を形成する前方斜め上向きの線を延長した仮想線との交点に対して、水平方向の後方に位置している、鞍乗型車両。
【請求項２】
前記左側および右側の足載壁は、水平面に対する傾斜角度が互いに等しい、
請求項１に記載の鞍乗型車両。
【請求項３】
前記フロントカバー体の前記突部における車両幅方向の外方の表面に、斜め上方に凹んだ段差部が形成されている、
請求項１に記載の鞍乗型車両。
【請求項４】
前記後側カバーの前記突部の後端は、側面視において前記前輪の後端よりも後方に位置している、
請求項１に記載の鞍乗型車両。
【請求項５】
前記後側カバーの突部は、正面視において前記フロントカバー体のうち最も車両幅方向の外方に位置している、
請求項１に記載の鞍乗型車両。
【請求項６】
前記足載壁の上面に凹凸が形成されている、
請求項１に記載の鞍乗型車両。
【請求項７】
前記前輪は、リムと、前記リムに取り付けられたタイヤとを有し、
前記下側カバーの前端は、前記リムの前端よりも前方に位置している、
請求項１に記載の鞍乗型車両。
【請求項８】
前記下側カバーの前端は、前記前輪の上端と略等しい高さに位置している、
請求項１に記載の鞍乗型車両。
【手続補正２】
【補正対象書類名】明細書
【補正対象項目名】０００７
【補正方法】変更
【補正の内容】
【０００７】
本発明に係る鞍乗型車両は、前輪と、前記前輪を支持するフロントフォークと、前記フロントフォークを回転可能に支持するヘッドパイプと、前記ヘッドパイプから後方斜め下向きに延びるダウンフレームと、前記ダウンフレームの下部から後方に延びる下部フレームと、前記下部フレームの後部から後方斜め上向きに延びるシートレールと、を有する車体フレームと、前記シートレールの上方に配置されたシートと、少なくとも一部が前記シートの下方かつ前方であって前記下部フレームの上方に配置されたフットボードと、前記ダウンフレームの上方および前記ヘッドパイプの後方を覆う後側カバーと、前記ダウンフレームの下方を覆い、前記前輪との間に別体のフロントフェンダーを介することなく前記前輪の上方に位置する下側カバーと、前記下側カバーの上方で前記ヘッドパイプの前方を覆う前側カバーとを有し、前記フットボードの前方に設けられたフロントカバー体と、を備え、前記後側カバーは、前記フットボードの前方にて前方斜め上向きに延びる左側および右側の足載壁と、前記後側カバーの側縁部分に位置しかつ側面視で前記各足載壁の上端から後方へ突出する突部と、前記突部よりも上方かつ後方に位置するとともに、前記後側カバーの側縁部分の上側の後端に位置する上側後端と、前記突部よりも下方かつ後方に位置するとともに、前記後側カバーの側縁部分の下側の後端に位置する下側後端とを有し、前記突部の後端は、前記後側カバーの当該突部を含む水平断面において最も車両幅方向の外方に位置し、側面視において、前記突部の後端は、前記後側カバーの前記上側後端と前記下側後端とを繋いだ線よりも前方に位置するとともに、前記後側カバーの前記上側後端と前記下側後端との上下方向の中間位置よりも上方に位置し、前記突部の一部は、側面視において、前記後側カバーの側縁部分の輪郭を形成する前方斜め下向きの線を延長した仮想線と、前記輪郭を形成する前方斜め上向きの線を延長した仮想線との交点に対して、水平方向の後方に位置しているものである。
【手続補正３】
【補正対象書類名】明細書
【補正対象項目名】００２５
【補正方法】変更
【補正の内容】
【００２５】
図３に示すように、正面視において、突部４０の後端４０ｃは、フロントカバー体３０のうち最も車両幅方向の外方に位置する部分となっている。突部４０の後端４０ｃは、後側カバー３１の上側の後端３１ａよりも車両幅方向の外方に位置している。なお、図３において、直線Ｌ８は後側カバー３１の後端３１ａを通る垂直線を表している。突部４０の後端４０ｃは、この直線Ｌ８よりも外方に位置している。また、図９に示すように、側面視において、突部４０の後端４０ｃは、後側カバー３１の上側の後端３１ａと下側の後端３１ｂとを繋いだ線Ｌ７よりも前方に位置する。また、突部４０の後端４０ｃは、後側カバー３１の上側の後端３１ａと下側の後端３１ｂとの上下方向の中間位置３１ｃよりも上方に位置している。突部４０の後端４０ｃは、前輪６の後端６ｅよりも後方に位置している。なお、上記上側の後端３１ａは、突部４０よりも上方かつ後方に位置するとともに、後側カバー３１の側縁部分の上側の後端に位置する部分のことである。また、上記下側の後端３１ｂは、突部４０よりも下方かつ後方に位置するとともに、後側カバー３１の側縁部分の下側の後端に位置する部分のことである。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
前輪と、
前記前輪を支持するフロントフォークと、
前記フロントフォークを回転可能に支持するヘッドパイプと、前記ヘッドパイプから後方斜め下向きに延びるダウンフレームと、前記ダウンフレームの下部から後方に延びる下部フレームと、前記下部フレームの後部から後方斜め上向きに延びるシートレールと、を有する車体フレームと、
前記シートレールの上方に配置されたシートと、
ハンドルを覆う上側フロントカバーと、
少なくとも一部が前記シートの下方かつ前方であって前記下部フレームの上方に配置され、略水平に延びるフットボードと、
前記ダウンフレームの上方および前記ヘッドパイプの後方を覆い、上部が前記上側フロントカバーの下方に配置され且つ下部が前記フットボードの前部に接続された後側カバーと、前記ダウンフレームの下方を覆い、前記前輪との間に別体のフロントフェンダーを介することなく前記前輪の上方に位置する下側カバーと、前記下側カバーの上方で前記ヘッドパイプの前方を覆う前側カバーとを有し、前記フットボードの前方に設けられたフロントカバー体と、を備え、
前記後側カバーは、前記フットボードの前方にて前方斜め上向きに延びる左側および右側の足載壁と、前記後側カバーの側縁部分に位置しかつ側面視で前記各足載壁の上端から後方へ突出する突部と、前記突部よりも上方かつ後方に位置するとともに、前記後側カバーの側縁部分の上側の後端に位置する上側後端と、前記突部よりも下方かつ後方に位置するとともに、前記後側カバーの側縁部分の下側の後端に位置する下側後端とを有し、
前記突部の後端は、前記後側カバーの当該突部を含む水平断面において最も車両幅方向の外方に位置し、
側面視において、前記突部の後端は、前記後側カバーの前記上側後端と前記下側後端とを繋いだ線よりも前方に位置するとともに、前記後側カバーの前記上側後端と前記下側後端との上下方向の中間位置よりも上方に位置し、
前記突部の一部は、側面視において、前記後側カバーの側縁部分の輪郭を形成する前方斜め下向きの線を延長した仮想線と、前記輪郭を形成する前方斜め上向きの線を延長した仮想線との交点に対して、水平方向の後方に位置している、鞍乗型車両。
【請求項２】
前記左側および右側の足載壁は、水平面に対する傾斜角度が互いに等しい、
請求項１に記載の鞍乗型車両。
【請求項３】
前記フロントカバー体の前記突部における車両幅方向の外方の表面に、斜め上方に凹んだ段差部が形成されている、
請求項１に記載の鞍乗型車両。
【請求項４】
前記後側カバーの前記突部の後端は、側面視において前記前輪の後端よりも後方に位置している、
請求項１に記載の鞍乗型車両。
【請求項５】
前記後側カバーの突部は、正面視において前記フロントカバー体のうち最も車両幅方向の外方に位置している、
請求項１に記載の鞍乗型車両。
【請求項６】
前記足載壁の上面に凹凸が形成されている、
請求項１に記載の鞍乗型車両。
【請求項７】
前記前輪は、リムと、前記リムに取り付けられたタイヤとを有し、
前記下側カバーの前端は、前記リムの前端よりも前方に位置している、
請求項１に記載の鞍乗型車両。
【請求項８】
前記下側カバーの前端は、前記前輪の上端と略等しい高さに位置している、
請求項１に記載の鞍乗型車両。
【手続補正２】
【補正対象書類名】明細書
【補正対象項目名】０００７
【補正方法】変更
【補正の内容】
【０００７】
本発明に係る鞍乗型車両は、前輪と、前記前輪を支持するフロントフォークと、前記フロントフォークを回転可能に支持するヘッドパイプと、前記ヘッドパイプから後方斜め下向きに延びるダウンフレームと、前記ダウンフレームの下部から後方に延びる下部フレームと、前記下部フレームの後部から後方斜め上向きに延びるシートレールと、を有する車体フレームと、前記シートレールの上方に配置されたシートと、ハンドルを覆う上側フロントカバーと、少なくとも一部が前記シートの下方かつ前方であって前記下部フレームの上方に配置され、略水平に延びるフットボードと、前記ダウンフレームの上方および前記ヘッドパイプの後方を覆い、上部が前記上側フロントカバーの下方に配置され且つ下部が前記フットボードの前部に接続された後側カバーと、前記ダウンフレームの下方を覆い、前記前輪との間に別体のフロントフェンダーを介することなく前記前輪の上方に位置する下側カバーと、前記下側カバーの上方で前記ヘッドパイプの前方を覆う前側カバーとを有し、前記フットボードの前方に設けられたフロントカバー体と、を備え、前記後側カバーは、前記フットボードの前方にて前方斜め上向きに延びる左側および右側の足載壁と、前記後側カバーの側縁部分に位置しかつ側面視で前記各足載壁の上端から後方へ突出する突部と、前記突部よりも上方かつ後方に位置するとともに、前記後側カバーの側縁部分の上側の後端に位置する上側後端と、前記突部よりも下方かつ後方に位置するとともに、前記後側カバーの側縁部分の下側の後端に位置する下側後端とを有し、前記突部の後端は、前記後側カバーの当該突部を含む水平断面において最も車両幅方向の外方に位置し、側面視において、前記突部の後端は、前記後側カバーの前記上側後端と前記下側後端とを繋いだ線よりも前方に位置するとともに、前記後側カバーの前記上側後端と前記下側後端との上下方向の中間位置よりも上方に位置し、前記突部の一部は、側面視において、前記後側カバーの側縁部分の輪郭を形成する前方斜め下向きの線を延長した仮想線と、前記輪郭を形成する前方斜め上向きの線を延長した仮想線との交点に対して、水平方向の後方に位置しているものである。